(57)【要約】  エレベーターを利用して自律移動体を効率的に移動させることができるエレベーター連動装置を提供する。エレベーター連動装置は、自律移動体の位置情報を記憶する位置情報記憶部と、前記自律移動体が予め設定された位置に到達した際に、エレベーターのかごを呼び出す呼び出し部と、を備えた。当該構成によれば、エレベーター連動装置は、自律移動体が予め設定された位置に到達した際に、エレベーターのかごを呼び出す。このため、エレベーターを利用して自律移動体を効率的に移動させることができる。
2020250409.tif 000002
【特許請求の範囲】
【請求項１】
自律移動体の位置情報を記憶する位置情報記憶部と、
前記自律移動体が予め設定された位置に到達した際に、エレベーターのかごを呼び出す呼び出し部と、
を備えたエレベーター連動装置。
【請求項２】
前記呼び出し部は、前記自律移動体の位置情報と目的階情報と基づいて、呼び出すエレベーターを決定する請求項１に記載のエレベーター連動装置。
【請求項３】
自律移動体がエレベーターのかごへの乗車行動を開始する地点への到着予測時刻を演算する予測部と、
前記自律移動体の存在する階へのエレベーターのかごの到着予測時刻を演算するエレベーター情報演算部と、
を備え、
前記呼び出し部は、前記予測部により予測された自律移動体の到着時刻と前記エレベーター情報演算部により演算されたかごの到着時刻とに基づいて、エレベーターの呼び出すタイミングを決定する請求項１または請求項２に記載のエレベーター連動装置。
【請求項４】
前記呼び出し部は、エレベーターのかごで移動させる自律移動体の順番を決定し、順番通りに前記かごが利用されるように前記かごを順次呼び出す請求項１から請求項３のいずれか一項に記載のエレベーター連動装置。
【請求項５】
前記呼び出し部は、自律移動体に対するエレベーターの運転が短時間となるように、前記かごを呼び出す順番を決定する請求項４に記載のエレベーター連動装置。
【請求項６】
前記呼び出し部は、前記かごの進行方向への移動を希望する自律移動体を、前記かごの進行方向の逆方向への移動を希望する自律移動体よりも先に前記かごを利用させるように前記かごを呼び出す順番を決定する請求項４に記載のエレベーター連動装置。
【請求項７】
前記呼び出し部は、複数の自律移動体が同一方向に移動を希望する場合、前記かごが方向反転するまでの間に移動可能な自律移動体の数がより多くなるように前記かごを呼び出す順番を決定する請求項６に記載のエレベーター連動装置。
【請求項８】
前記エレベーターの運転の継続が不可能になった場合に、自律移動体に対して、当該自律移動体の目的階ではない階に降車を促し、降車する階の情報を自律移動体に送信する安全補助部、
を備えた請求項１から請求項７のいずれか一項に記載のエレベーター連動装置。
【請求項９】
前記エレベーターの運転の継続が不可能になった場合に、自律移動体に対してエレベーターのかごの内部で停止するように要求する安全補助部、
を備えた請求項１から請求項７のいずれか一項に記載のエレベーター連動装置。
【請求項１０】
エレベーターのかごの現在階が自律移動体の呼び出し階であり、前記かごの進行方向が設定されていない場合に、前記自律移動体に対して乗車を促す乗車可否判定部、
を備えた請求項１から請求項９のいずれか一項にエレベーター連動装置。
【請求項１１】
エレベーターのかごへの乗車を要求してから予め設定された時間までに自律移動体からの乗車完了の情報が受信されない場合または前記かごからの降車を要求してから予め設定された時間までに自律移動体からの降車完了の情報が受信されない場合に、エレベーターの運転を通常運転に復帰させる状態回復部、
を備えた請求項１から請求項１０のいずれか一項にエレベーター連動装置。
【請求項１２】
前記状態回復部は、前記かごからの降車を要求してから予め設定された時間までに自律移動体からの降車完了の情報が受信されない場合に、自律移動体に対してエレベーターのかごの内部で停止するように要求する請求項１１に記載のエレベーター連動装置。
【請求項１３】
前記状態回復部は、予め設定された相手先に対して自律移動体の救出を要請する情報を送信する請求項１１または請求項１２に記載のエレベーター連動装置。
【発明の詳細な説明】
【技術分野】
【０００１】
この発明は、エレベーター連動装置に関する。
【背景技術】
【０００２】
例えば、特許文献１は、エレベーターシステムを開示する。当該エレベーターシステムによれば、エレベーターの利用者の移動の効率を向上し得る。
【先行技術文献】
【特許文献】
【０００３】
【特許文献１】日本特開２０１０−７０３８２号公報
【発明の概要】
【発明が解決しようとする課題】
【０００４】
しかしながら、特許文献１に記載のエレベーターシステムにおいては、自律移動体がエレベーターシステム等を利用することを想定していない。このため、エレベーターを利用して自律移動体を効率的に移動させることができない。【０００５】
この発明は、上述の課題を解決するためになされた。この発明の目的は、エレベーターを利用して自律移動体を効率的に移動させることができるエレベーター連動装置を提供することである。
【課題を解決するための手段】
【０００６】
この発明に係るエレベーター連動装置は、自律移動体の位置情報を記憶する位置情報記憶部と、前記自律移動体が予め設定された位置に到達した際に、エレベーターのかごを呼び出す呼び出し部と、を備えた。
【発明の効果】
【０００７】
この発明によれば、エレベーター連動装置は、自律移動体が予め設定された位置に到達した際に、エレベーターのかごを呼び出す。このため、エレベーターを利用して自律移動体を効率的に移動させることができる。
【図面の簡単な説明】
【０００８】
【図１】実施の形態１におけるエレベーター連動装置が適用されるエレベーターシステムの構成図である。
【図２】実施の形態１におけるエレベーター連動装置のブロック図である。
【図３】実施の形態１におけるエレベーター連動装置による呼び出し順の第１例を説明するための図である。
【図４】実施の形態１におけるエレベーター連動装置の呼び出し順の第２例を説明するための図である。
【図５】実施の形態１におけるエレベーター連動装置が呼び出すエレベーターを決定する際の動作である。
【図６】実施の形態１におけるエレベーター連動装置がエレベーターの呼び出し要求を受け付ける際の動作の説明するためのフローチャートである。
【図７】実施の形態１におけるエレベーター連動装置がエレベーターを呼び出す順番を決定する際の動作の説明するためのフローチャートである。
【図８】実施の形態１におけるエレベーター連動装置が自律移動体によるかごの乗降を制御する際の動作の説明するためのフローチャートである。
【図９】実施の形態１におけるエレベーター連動装置が自律移動体によるかごの乗降を制御する際の動作の説明するためのフローチャートである。
【図１０】実施の形態１におけるエレベーター連動装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーター連動装置が適用されるエレベーターシステムの構成図である。
【００１１】
図１のエレベーターシステムにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１２】
巻上機４は、機械室２に設けられる。主ロープ５は、巻上機４に巻き掛けられる。
【００１３】
かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１４】
複数の乗場ドア８装置の各々は、エレベーターのドアとして複数の乗場３の各々の出入口に設けられる。かごドア９装置は、エレベーターのドアとしてかご６の出入口に設けられる。
【００１５】
制御装置１０は、機械室２に設けられる。制御装置１０は、エレベーターを全体的に制御し得るように設けられる。
【００１６】
例えば、エレベーター連動装置１１は、建築物の管理室に設けられる。
【００１７】
自律移動体１２は、建築物の内部に配置される。自律移動体１２は、人が操作せずとも自律移動する機械装置である。例えば、自律移動体１２は、ロボットである。例えば、自律移動体１２は、パーソナルモビリティである。
【００１８】
エレベーター連動装置１１は、自律移動体１２に関する情報を把握する。例えば、エレベーター連動装置１１は、自律移動体１２の目的地と当該目的地が存在する階との情報を把握する。
【００１９】
エレベーター連動装置１１は、図示されない測位装置または自律移動体１２から自律移動体１２の位置情報を受信する。エレベーター連動装置１１は、当該自律移動体１２が当該位置情報に対応した位置にいるとされる日時を判定する。例えば、エレベーター連動装置１１は、測位装置または自律移動体１２から位置情報が送られてきた日時に当該自律移動体１２が当該位置情報に対応した位置にいると判定する。例えば、エレベーター連動装置１１は、当該位置情報を受信した日時に当該自律移動体１２が当該位置情報に対応した位置にいると判定する。
【００２０】
なお、“位置情報”とは、対象の識別子の情報と対象の位置を表す変数の情報と対象が当該位置にいたとされる日時の情報とを含む情報である。対象が特定されない場合は、対象の識別子の情報がなくともよい。例えば、対象の位置を表す変数は、直交座標における水平二軸（ｘ、ｙ）と高さ（ｚ）との３つの変数である。例えば、対象の位置を表す変数は、緯度と経度と標高との３つの変数である。例えば、対象の位置を表す変数は、球座標における動径ｒと２つの偏角との３つ変数である。例えば、対象が当該位置にいたとされる日時は、年月日時分秒である。対象が当該位置にいたとされる日時において、秒未満の値が含まれてもよい。
【００２１】
エレベーター連動装置１１は、当該自律移動体１２に対して呼び出すエレベーターまたはエレベーター群を決定する。例えば、建築物の内部において離れた複数の個所にエレベーターまたエレベーター群が設けられている場合、時間帯によっては運転を中止しているエレベーターまたエレベーター群がある場合もある。自律移動体１２の現在階または目的階へ運転を中止しているエレベーターまたエレベーター群がある場合もある。自律移動体１２が目的階へ到達するためには途中の階でエレベーターの乗り換えが必要であり、乗り換え先のエレベーターの乗場３に辿り着けないエレベーターまたはエレベーター群がある場合もある。自律移動体１２によるエレベーターの利用を中止しているエレベーターまたはエレベーター群がある場合もある。
【００２２】
従って、エレベーター連動装置１１は、その時点において自律移動体１２の現在地から目的地までに成立する移動ルートに含むことができるエレベーターまたはエレベーター群を呼び出すエレベーターまたはエレベーター群の候補とする。
【００２３】
複数の候補が存在する場合、予め設定された条件に基づいて呼び出すエレベーターを決定すればよい。例えば、現在位置からの距離（ｄ）が最も近いエレベーターまたはエレベーター群を呼び出すエレベーターまたはエレベーター群としてもよい。例えば、乗客数または自律移動体１２の数（ｎ）が最も少ないエレベーターまたはエレベーター群を呼び出すエレベーターまたはエレベーター群としてもよい。例えば、エレベーターの待ち時間、目的地までの移動時間等、効率的な時間（ｔ）で移動するエレベーターまたはエレベーター群を呼び出すエレベーターまたはエレベーター群としてもよい。例えば、下り坂が多いルートにあるエレベーター等、自律移動体１２が目的地に到達するまでのエネルギー消費量（ｅ）が最も少なくなるエレベーターまたはエレベーター群を呼び出すエレベーターまたはエレベーター群としてもよい。例えば、混雑、障害物等、移動に支障を与える恐れ（ｒ）の少ない経路にあるエレベーターまたはエレベーター群を呼び出すエレベーターまたはエレベーター群としてもよい。
【００２４】
なお、これらの条件を総合的に考慮し、次の（１）で示される総合評価値Ｅｌｅｖａｔｏｒ  ｂａｎｋが最小となるエレベーターまたはエレベーター群を呼び出すエレベーターまたはエレベーター群としてもよい。
【００２５】
Ｅｌｅｖａｔｏｒ  ｂａｎｋ＝α×ｄ＋β×ｔ＋μ×ｅ＋ω×ｒ      （１）
【００２６】
ここで、α、β、μ、ωは重み係数である。より考慮すべき指標の重み係数を重くすることで、意に沿ったエレベーターまたはエレベーター群が選ばれやすくなる。なお、重みを０にすることは、当該指標を考慮しないことと等価である。
【００２７】
エレベーター連動装置１１は、呼び出すエレベーターまたはエレベーター群を決めた後、当該エレベーターまたは当該エレベーター群を自動的に呼び出す。事前にエレベーターを事前に呼んでおくことで、自律移動体１２は、当該エレベーターまたは当該エレベーター群により効率的に移動し得る。
【００２８】
しかしながら、自律移動体１２が乗場３に到達する前に当該エレベーターまたは当該エレベーター群のかご６が到着して自律移動体１２の到着を待つと、他の利用者に迷惑をかける。このため、当該エレベーターまたは当該エレベーター群の乗場３と自律移動体１２との距離が予め設定された値以下となった場合、当該エレベーターまたは当該エレベーター群を自動的に呼び出してもよい。自律移動体１２が当該エレベーターまたは当該エレベーター群への乗車行動を開始する地点への到着予測時刻と自律移動体１２が存在する階へのかご６の到着予測時刻の時間差が予め設定された値以下となった場合、当該エレベーターまたは当該エレベーター群を自動的に呼び出してもよい。
【００２９】
なお、ここで「エレベーターを呼び出す」とは、実際にエレベーターを呼び出してもよいが、呼び出し順番を決定するために、エレベーターを呼び出す要求の情報を記憶することとする。
【００３０】
エレベーター連動装置１１は、エレベーターの呼び出し要求が存在した場合にエレベーターを呼び出す順番を決定する。
【００３１】
自律移動体１２がエレベーターを利用する際、第１パターンと第２パターンとが考えられる。第１パターンは、自律移動体１２と一般の利用者とを区別することなく、一般人と同様にエレベーターで自律移動体１２を輸送するパターンである。第２パターンは、自律移動体１２がかご６に乗降する際はエレベーターを専用運転とし、一般人と自律移動体１２とをかご６に同乗させないパターンである。
【００３２】
エレベーターの専用運転においては、エレベーター連動装置１１は、乗車中の利用者の目的階までかご６を移動させて利用者がかご６から降りた後に自律移動体１２に対してエレベーターの利用を開始させる。
【００３３】
次に、図２を用いて、エレベーター連動装置１１を説明する。
図２は実施の形態１におけるエレベーター連動装置のブロック図である。
【００３４】
図２に示されるように、エレベーター連動装置１１は、位置情報記憶部１１ａと予測部１１ｂとエレベーター情報演算部１１ｃと呼び出し部１１ｄと乗車可否判定部１１ｅと安全補助部１１ｆと状態回復部１１ｇとを備える。
【００３５】
位置情報記憶部１１ａは、自律移動体１２の位置情報を記憶する。予測部１１ｂは、自律移動体１２がかご６への乗車行動を開始する地点への到着予測時刻を演算する。エレベーター情報演算部１１ｃは、自律移動体１２が存在する階へのかご６の到着時刻を演算する。呼び出し部１１ｄは、予測部１１ｂにより演算された自律移動体１２の到着予測時刻とエレベーター情報演算部１１ｃにより演算されたかご６の到着予測時刻とに基づいて、エレベーターの呼び出すタイミングを決定する。
【００３６】
例えば、乗車可否判定部１１ｅは、かご６の現在階が自律移動体１２の呼び出し階であり、かご６の進行方向が設定されていない場合に、自律移動体１２に対して乗車を促す。例えば、安全補助部１１ｆは、エレベーターの運転の継続が不可能になった場合に、自律移動体１２に対して、当該自律移動体１２の目的階ではない階に降車を促し、降車する階の情報を自律移動体１２に送信する。例えば、安全補助部１１ｆは、エレベーターの運転の継続が不可能になった場合に、自律移動体１２に対してエレベーターのかご６の内部で安全に停止するように要求する。
【００３７】
状態回復部１１ｇは、エレベーターのかご６への乗車を要求してから予め設定された時間までに自律移動体１２からの乗車完了の情報が受信されない場合またはかご６からの降車を要求してから予め設定された時間までに自律移動体１２からの降車完了の情報が受信されない場合に、エレベーターの運転を通常運転に復帰させる。
【００３８】
次に、図３を用いて、各階にいる複数の自律移動体１２のエレベーター呼び出し要求が発生した際の呼び出し順の第１例を説明する。
図３は実施の形態１におけるエレベーター連動装置による呼び出し順の第１例を説明するための図である。
【００３９】
図３に示されるように、Ａ、Ｂ、Ｃ、Ｄ、Ｅの順番でエレベーターの呼び出し要求が発生している際、発生した順番の通りにかご６を割り当てると、全ての自律移動体１２がエレベーターの利用を終了するまでに比較的長い時間がかかる。この間、一般の利用者は、当該エレベーターを利用できない。このため、一般の利用者の快適性が損なわれる。
【００４０】
次に、図４を用いて、各階にいる複数の自律移動体１２のエレベーター呼び出し要求が発生した際の呼び出し順の第２例を説明する。
図４は実施の形態１におけるエレベーター連動装置の呼び出し順の第２例を説明するための図である。
【００４１】
図４に示されるように、かご６を割り当てる自律移動体１２の順番を変更し、順次、エレベーターを呼び出すと、全ての自律移動体１２がエレベーターの利用を終了するまでに、比較的短い時間しかかからない。
【００４２】
図４においては、Ａのエレベーターの呼び出し要求よりも先にＤのエレベーター呼び出し要求に対してかご６が割り当てられる。
【００４３】
一般の利用者がエレベーターを呼び出した際、かご６が下から上昇してきて専用運転の開始階にいる場合、Ａのエレベーターの呼び出し要求よりも先にＤのエレベーター呼び出し要求に対してかご６を割り当てると、Ａのエレベーター呼び出し要求を出した利用者は、自分に向かってくると思われたかご６が反転することになる。この際、当該利用者は、かご６の挙動に不快感、違和感等を覚える。この場合、当該利用者、故障を疑い、クレームが生じかねない。そのため、一般の利用者に対しては、図４の呼び出し順に変更することは難しい。
【００４４】
なお、図４においては、複数の自律移動体１２がかご６に同乗しないことを想定したが、自律移動体１２がかご６に同乗することを想定すると、Ｅ、Ａ、Ｃ、Ｂ、Ｄの順番となる。すなわち、かご６が方向反転するまでの間に同一方向に進む自律移動体１２をできるだけ多く乗せられるように、エレベーターを呼び出す順番が決定される。このため、全ての自律移動体１２がエレベーターの利用を終了するまでの時間がより短くなる。その結果、一般の利用者は、エレベーターを早期に利用できるようになる。
【００４５】
ただし、Ｅのエレベーター呼び出し要求を出した自律移動体１２とＡのエレベーター呼び出し要求を出した自律移動体１２とがサイズ、重量等の都合で同乗できないことが予め判定されている場合等、乗車可否判定部１１ｅにおいて自律移動体１２の組み合わせによる同乗の可否を判定し、エレベーターを呼び出す順番を決定してもよい。
【００４６】
次に、図５を用いて、エレベーター連動装置１１が呼び出すエレベーターを決定する際の動作を説明する。
図５は実施の形態１におけるエレベーター連動装置が呼び出すエレベーターを決定する際の動作である。
【００４７】
ステップＳ１では、エレベーター連動装置１１は、自律移動体１２の位置情報が受信されたか否かを判定する。ステップＳ１で自律移動体１２の位置情報が受信されていない場合、エレベーター連動装置１１は、ステップＳ１の動作を行う。ステップＳ１で自律移動体１２の位置情報が受信された場合、エレベーター連動装置１１は、ステップＳ２の動作を行う。
【００４８】
ステップＳ２では、エレベーター連動装置１１は、自律移動体１２の位置情報を記憶する。その後、エレベーター連動装置１１は、ステップＳ３の動作を行う。ステップＳ３では、エレベーター連動装置１１は、呼び出すエレベーターを決定する。その後、エレベーター連動装置１１は、ステップＳ４の動作を行う。ステップＳ４では、エレベーター連動装置１１は、自律移動体１２の位置情報の受信が終了したか否かを判定する。
【００４９】
ステップＳ４で自律移動体１２の位置情報の受信が終了していない場合、エレベーター連動装置１１は、ステップＳ１の動作を行う。ステップＳ４で自律移動体１２の位置情報の受信が終了した場合、エレベーター連動装置１１は、動作を終了する。
【００５０】
次に、図６を用いて、エレベーター連動装置１１がエレベーターの呼び出し要求を受け付ける際の動作を説明する。
図６は実施の形態１におけるエレベーター連動装置がエレベーターの呼び出し要求を受け付ける際の動作の説明するためのフローチャートである。
【００５１】
ステップＳ１１では、エレベーター連動装置１１は、エレベーターの呼び出しが必要であるか否かを判定する。ステップＳ１１でエレベーターの呼び出しが必要でない場合、エレベーター連動装置１１は、ステップＳ１１の動作を行う。ステップＳ１１でエレベーターの呼び出しが必要である場合、ステップＳ１２の動作を行う。
【００５２】
ステップＳ１２では、エレベーター連動装置１１は、エレベーターの呼び出し要求の情報を記憶する。その後、エレベーター連動装置１１は、ステップＳ１３の動作を行う。ステップＳ１３では、エレベーター連動装置１１は、エレベーターの呼び出しの判定が終了したか否かを判定する。
【００５３】
ステップＳ１３でエレベーターの呼び出しの判定が終了していない場合、エレベーター連動装置１１は、ステップＳ１１の動作を行う。ステップＳ１３でエレベーターの呼び出しの判定が終了した場合、エレベーター連動装置１１は、動作を終了する。
【００５４】
次に、図７を用いて、エレベーター連動装置１１がエレベーターの呼び出す順番を決定する際の動作を説明する。
図７は実施の形態１におけるエレベーター連動装置がエレベーターを呼び出す順番を決定する際の動作の説明するためのフローチャートである。
【００５５】
ステップＳ２１では、エレベーター連動装置１１は、エレベーターの呼び出し要求があるか否かを判定する。ステップＳ２１でエレベーターの呼び出し要求がない場合、エレベーター連動装置１１は、ステップＳ２１の動作を行う。ステップＳ２１でエレベーターの呼び出し要求がある場合、エレベーター連動装置１１は、ステップＳ２２の動作を行う。
【００５６】
ステップＳ２２では、エレベーター連動装置１１は、エレベーターを呼び出す順番を決定する。その後、エレベーター連動装置１１は、ステップＳ２３の動作を行う。ステップＳ２３では、エレベーター連動装置１１は、エレベーターを呼び出す。
【００５７】
その後、エレベーター連動装置１１は、ステップＳ２４の動作を行う。ステップＳ２４では、エレベーター連動装置１１は、エレベーターの連動を停止する必要があるか否かを判定する。
【００５８】
ステップＳ２４でエレベーターの連動を停止する必要がない場合、エレベーター連動装置１１は、ステップＳ２１の動作を行う。ステップＳ２４でエレベーターの連動を停止する必要がある場合、エレベーター連動装置１１は、動作を終了する。
【００５９】
次に、図８と図９とを用いて、エレベーター連動装置１１が自律移動体１２によるかごの乗降を制御する際の動作を説明する。
図８と図９とは実施の形態１におけるエレベーター連動装置が自律移動体によるかごの乗降を制御する際の動作の説明するためのフローチャートである。
【００６０】
ステップＳ３１では、エレベーター連動装置１１は、かご６が対象の自律移動体１２の乗車階に停止してエレベーターのドアが開いて当該階で降車する自律移動体１２がいない乗車条件が成立しているか否かを判定する。
【００６１】
ステップＳ３１の乗車条件が成立しない場合、エレベーター連動装置１１は、ステップＳ３１の動作を行う。ステップＳ３１で乗車条件が成立している場合、エレベーター連動装置１１は、ステップＳ３２の動作を行う。
【００６２】
ステップＳ３２では、エレベーター連動装置１１は、エレベーターの戸開を継続させる。その後、エレベーター連動装置１１は、ステップＳ３３の動作を行う。ステップＳ３３では、対象の自律移動体１２に対して乗車を要求する。
【００６３】
この際、自律移動体１２のためにかご６が当該階に停車したか否かを判定するためには、エレベーター連動装置１１がエレベーターの制御装置１０から専用運転中であることを示す情報を受信することが望ましい。
【００６４】
しかしながら、様々な制約によってエレベーター連動装置１１がエレベーターの制御装置１０から専用運転中であることを示す情報を受信できない場合、かご６の進行方向が上でも下でもない状態を自律移動体１２のための呼び出しに応じることができる状態と判定し、対象の自律移動体１２に対して乗車を要求してもよい。
【００６５】
その後、エレベーター連動装置１１は、ステップＳ３４の動作を行う。ステップＳ３４では、エレベーター連動装置１１は、対象の自律移動体１２からの乗車完了の情報が受信されたか否かを判定する。
【００６６】
ステップＳ３４で対象の自律移動体１２からの乗車完了の情報が受信されていない場合、エレベーター連動装置１１は、ステップＳ３５の動作を行う。ステップＳ３５では、エレベーター連動装置１１は、予め設定された時間が経過したか否かを判定する。
【００６７】
ステップＳ３５で予め設定された時間が経過していない場合、エレベーター連動装置１１は、ステップＳ３６の動作を行う。ステップＳ３６では、エレベーター連動装置１１は、対象の自律移動体１２からの乗車断念の情報が受信されたか否かを判定する。
【００６８】
ステップＳ３６で対象の自律移動体１２からの乗車断念の情報が受信されていない場合、エレベーター連動装置１１は、ステップＳ３４の動作を行う。
【００６９】
ステップＳ３５で予め設定された時間が経過した場合またはステップＳ３６で対象の自律移動体１２からの乗車断念の情報が受信された場合、エレベーター連動装置１１は、ステップＳ３７の動作を行う。ステップＳ３７では、エレベーター連動装置１１は、エレベーターの戸開の継続を終了させる。その後、エレベーター連動装置１１は、ステップＳ３８の動作を行う。ステップＳ３８では、エレベーター連動装置１１は、エレベーターの運転を通常運転に復帰させる。その後、エレベーター連動装置１１は、動作を終了する。
【００７０】
ステップＳ３４で対象の自律移動体１２からの乗車完了の情報が受信された場合、エレベーター連動装置１１は、ステップＳ３９の動作を行う。ステップＳ３９では、エレベーター連動装置１１は、エレベーターに対象の自律移動体１２の目的階を登録させる。その後、エレベーター連動装置１１は、ステップＳ４０の動作を行う。ステップＳ４０では、エレベーター連動装置１１は、エレベーターの戸開の継続を終了させる。
【００７１】
その後、エレベーター連動装置１１は、ステップＳ４１の動作を行う。ステップＳ４１では、エレベーター連動装置１１は、地震等によりエレベーターの運転の継続が困難になったか否かを判定する。
【００７２】
ステップＳ４１では、エレベーターの運転の継続が困難になった場合、エレベーター連動装置１１は、ステップＳ４２の動作を行う。ステップＳ４２では、エレベーター連動装置１１は、かご６が停止したか否かを判定する。
【００７３】
ステップＳ４２でかご６が停止していない場合、エレベーター連動装置１１は、ステップＳ４２の動作を行う。ステップＳ４２でかご６が停止した場合、エレベーター連動装置１１は、ステップＳ４３の動作を行う。ステップＳ４３では、エレベーター連動装置１１は、エレベーターの戸開を確認した後、対象の自律移動体１２に対して降車を要求し、降車する階の情報を対象の自律移動体１２に送信する。
【００７４】
ステップＳ４１でエレベーターの運転の継続が困難になっていない場合、エレベーター連動装置１１は、ステップＳ４４の動作を行う。ステップＳ４４では、エレベーター連動装置１１は、かご６が対象の自律移動体１２の降車階に停止したか否かを判定する。
【００７５】
ステップＳ４４でかご６が降車階に停止していない場合、エレベーター連動装置１１は、ステップＳ４４の動作を行う。ステップＳ４４でかご６が降車階に停止した場合、エレベーター連動装置１１は、ステップＳ４５の動作を行う。
【００７６】
ステップＳ４５では、エレベーター連動装置１１は、エレベーターの戸開を継続させる。その後、ステップＳ４６の動作を行う。ステップＳ４６では、エレベーター連動装置１１は、自律移動体１２に対して降車を要求する。その後、エレベーター連動装置１１は、ステップＳ４７の動作を行う。ステップＳ４７では、エレベーター連動装置１１は、対象の自律移動体１２からの降車完了の情報が受信されたか否かを判定する。
【００７７】
ステップＳ４７で自律移動体１２からの降車完了の情報が受信された場合、エレベーター連動装置１１は、動作を終了する。
【００７８】
ステップＳ４７で自律移動体１２からの降車完了の情報が受信されていない場合、エレベーター連動装置１１は、ステップＳ４８の動作を行う。ステップＳ４８では、エレベーター連動装置１１は、予め設定された時間が経過したか否かを判定する。
【００７９】
ステップＳ４８で予め設定された時間が経過していない場合、エレベーター連動装置１１は、ステップＳ４９の動作を行う。ステップＳ４９では、エレベーター連動装置１１は、対象の自律移動体１２からの降車断念の情報が受信されたか否かを判定する。
【００８０】
ステップＳ４９で対象の自律移動体１２からの降車断念の情報が受信されていない場合、エレベーター連動装置１１は、ステップＳ４７の動作を行う。
【００８１】
ステップＳ４８で予め設定された時間が経過した場合またはステップＳ４９で対象の自律移動体１２からの降車断念の情報が受信された場合、エレベーター連動装置１１は、ステップＳ５０の動作を行う。ステップＳ５０では、エレベーター連動装置１１は、自律移動体１２に対して停止を要求する。その後、エレベーター連動装置１１は、ステップＳ５１の動作を行う。ステップＳ５１では、エレベーター連動装置１１は、自律移動体１２の管理者に対して自律移動体１２の救出を要請する。
【００８２】
その後、エレベーター連動装置１１は、ステップＳ５２の動作を行う。ステップＳ５２では、エレベーター連動装置１１は、エレベーターの戸開の継続を終了させる。その後、エレベーター連動装置１１は、ステップＳ５３の動作を行う。ステップＳ５３では、エレベーター連動装置１１は、エレベーターの運転を通常運転に復帰させる。その後、エレベーター連動装置１１は、動作を終了する。
【００８３】
以上で説明した実施の形態１によれば、エレベーター連動装置１１は、自律移動体１２が予め設定された位置に到達した際に、エレベーターのかご６を呼び出す。このため、エレベーターを利用して自律移動体１２を効率的に移動させることができる。
【００８４】
また、エレベーター連動装置１１は、自律移動体１２の位置情報と目的階情報と基づいて、呼び出すエレベーターを決定する。このため、呼び出すエレベーターを適切に設定することができる。
【００８５】
また、エレベーター連動装置１１は、自律移動体１２の到着予測時刻とかご６の到着予測時刻とに基づいて、エレベーターを呼び出すタイミングを決定する。このため、自律移動体１２をより効率的に移動させることができる。
【００８６】
また、エレベーター連動装置１１は、かご６で移動させる自律移動体１２の順番を決定し、順番通りにかご６が利用されるようにかご６を順次呼び出す。このため、一度にかご６の乗車させる自律移動体１２とその乗車の順番を管理することで、エレベーターの効率的に安全に利用することができる。
【００８７】
また、エレベーター連動装置１１は、かご６の進行方向への移動を希望する自律移動体１２を、かご６の進行方向の逆方向への移動を希望する自律移動体１２よりも先にかご６を利用させるようにかご６を呼び出す順番を決定する。このため、エレベーターをより効率的に利用することができる。
【００８８】
また、エレベーター連動装置１１は、複数の自律移動体１２が同一方向に移動を希望する場合、かご６が方向反転するまでの間に移動可能な自律移動体１２の数がより多くなるようにかご６を呼び出す順番を決定する。このため、エレベーターをより効率的に利用することができる。
【００８９】
また、エレベーター連動装置１１は、エレベーターの運転の継続が不可能になった場合に、自律移動体１２に対して、当該自律移動体１２の目的階ではない階に降車を促し、降車する階の情報を自律移動体１２に送信する。このため、自律移動体１２がかご６に閉じ込められることを抑制できる。
【００９０】
また、エレベーター連動装置１１は、エレベーターの運転の継続が不可能になった場合に、自律移動体１２に対してエレベーターのかご６の内部で安全に停止するように要求する。このため、自律移動体１２が無用にかご６の内部で移動することを抑制できる。
【００９１】
また、エレベーター連動装置１１は、エレベーターのかご６の現在階が自律移動体１２の呼び出し階であり、かご６の進行方向が設定されていない場合に、自律移動体１２に対して乗車を促す。このため、一般の利用者と自律移動体１２とが同乗することを抑制できる。
【００９２】
また、エレベーター連動装置１１は、エレベーターのかご６への乗車を要求してから予め設定された時間までに自律移動体１２からの乗車完了の情報が受信されない場合またはかご６からの降車を要求してから予め設定された時間までに自律移動体１２からの降車完了の情報が受信されない場合に、エレベーターの運転を通常運転に復帰させる。このため、一般の利用者に対してエレベーターをより快適に利用させることができる。
【００９３】
また、エレベーター連動装置１１は、かご６からの降車を要求してから予め設定された時間までに自律移動体１２からの降車完了の情報が受信されない場合に、自律移動体１２に対してエレベーターのかご６の内部で停止するように要求する。このため、自律移動体１２が無用にかご６の内部で移動することを抑制できる。
【００９４】
また、エレベーター連動装置１１は、予め設定された相手先に対して自律移動体１２の救出を要請する情報を送信する。このため、自律移動体１２を早期に復旧させることができる。その結果、一般の利用者に対してエレベーターを安全かつ快適に利用させることができる。
【００９５】
なお、機械室２がなくて昇降路１の下部または上部に巻上機４と制御装置１０とが設けられるエレベーターシステムに対し、エレベーター連動装置１１を適用してもよい。
【００９６】
また、エレベーター連動装置１１の機能を制御装置１１に設けてもよい。
【００９７】
次に、図１０を用いて、エレベーター連動装置１１の例を説明する。
図１０は実施の形態１におけるエレベーター連動装置のハードウェア構成図である。
【００９８】
エレベーター連動装置１１の各機能は、処理回路により実現し得る。例えば、処理回路は、少なくとも１つのプロセッサ１００ａと少なくとも１つのメモリ１００ｂとを備える。例えば、処理回路は、少なくとも１つの専用のハードウェア２００を備える。
【００９９】
処理回路が少なくとも１つのプロセッサ１００ａと少なくとも１つのメモリ１００ｂとを備える場合、エレベーター連動装置１１の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１００ｂに格納される。少なくとも１つのプロセッサ１００ａは、少なくとも１つのメモリ１００ｂに記憶されたプログラムを読み出して実行することにより、エレベーター連動装置１１の各機能を実現する。少なくとも１つのプロセッサ１００ａは、中央処理装置、処理装置、演算装置、マイクロプロセッサ、マイクロコンピュータ、ＤＳＰともいう。例えば、少なくとも１つのメモリ１００ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【０１００】
処理回路が少なくとも１つの専用のハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、エレベーター連動装置１１の各機能は、それぞれ処理回路で実現される。例えば、エレベーター連動装置１１の各機能は、まとめて処理回路で実現される。
【０１０１】
エレベーター連動装置１１の各機能について、一部を専用のハードウェア２００で実現し、他部をソフトウェアまたはファームウェアで実現してもよい。例えば、呼び出し部１１ｄの機能については専用のハードウェア２００としての処理回路で実現し、呼び出し部１１ｄの機能以外の機能については少なくとも１つのプロセッサ１００ａが少なくとも１つのメモリ１００ｂに格納されたプログラムを読み出して実行することにより実現してもよい。
【０１０２】
このように、処理回路は、ハードウェア２００、ソフトウェア、ファームウェア、またはこれらの組み合わせでエレベーター連動装置１１の各機能を実現する。
【０１０３】
図示されないが、制御装置１０の各機能も、エレベーター連動装置１１の各機能を実現する処理回路と同等の処理回路で実現される。
【産業上の利用可能性】
【０１０４】
以上のように、この発明に係るエレベーターの監視装置は、システムに利用できる。
【符号の説明】
【０１０５】
１  昇降路、  ２  機械室、  ３  乗場、  ４  巻上機、  ５  主ロープ、  ６  かご、  ７  釣合おもり、  ８  乗場ドア、  ９  かごドア、  １０  制御装置、  １１  エレベーター連動装置、  １１ａ  位置情報記憶部、  １１ｂ  予測部、  １１ｃ  エレベーター情報演算部、  １１ｄ  呼び出し部、  １１ｅ  乗車可否判定部、  １１ｆ  安全補助部、  １１ｇ  状態回復部、  １２  自律移動体、  １００ａ  プロセッサ、  １００ｂ  メモリ、  ２００  ハードウェア
【図１】
2020250409.tif 000003
【図２】
2020250409.tif 000004
【図３】
2020250409.tif 000005
【図４】
2020250409.tif 000006
【図５】
2020250409.tif 000007
【図６】
2020250409.tif 000008
【図７】
2020250409.tif 000009
【図８】
2020250409.tif 000010
【図９】
2020250409.tif 000011
【図１０】
2020250409.tif 000012
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
自律移動体の位置情報を記憶する位置情報記憶部と、
前記自律移動体が予め設定された位置に到達した際に、エレベーターのかごを呼び出す呼び出し部と、
を備え、
前記呼び出し部は、前記自律移動体の位置情報と目的階情報と基づいて、その時点において前記自律移動体の現在地から目的地までに成立する移動ルートに含むことができるエレベーターを呼び出すエレベーターの候補とするエレベーター連動装置。
【請求項２】
自律移動体がエレベーターのかごへの乗車行動を開始する地点への到着予測時刻を演算する予測部と、
前記自律移動体の存在する階へのエレベーターのかごの到着予測時刻を演算するエレベーター情報演算部と、
を備え、
前記呼び出し部は、前記予測部により予測された自律移動体の到着時刻と前記エレベーター情報演算部により演算されたかごの到着時刻とに基づいて、エレベーターの呼び出すタイミングを決定する請求項１に記載のエレベーター連動装置。
【請求項３】
前記呼び出し部は、エレベーターのかごで移動させる自律移動体の順番を決定し、順番通りに前記かごが利用されるように前記かごを順次呼び出す請求項１または請求項２に記載のエレベーター連動装置。
【請求項４】
前記呼び出し部は、自律移動体に対するエレベーターの運転が短時間となるように、前記かごを呼び出す順番を決定する請求項３に記載のエレベーター連動装置。
【請求項５】
前記呼び出し部は、前記かごの進行方向への移動を希望する自律移動体を、前記かごの進行方向の逆方向への移動を希望する自律移動体よりも先に前記かごを利用させるように前記かごを呼び出す順番を決定する請求項３に記載のエレベーター連動装置。
【請求項６】
前記呼び出し部は、複数の自律移動体が同一方向に移動を希望する場合、前記かごが方向反転するまでの間に移動可能な自律移動体の数がより多くなるように前記かごを呼び出す順番を決定する請求項５に記載のエレベーター連動装置。
【請求項７】
前記エレベーターの運転の継続が不可能になった場合に、自律移動体に対して、当該自律移動体の目的階ではない階に降車を促し、降車する階の情報を自律移動体に送信する安全補助部、
を備えた請求項１から請求項６のいずれか一項に記載のエレベーター連動装置。
【請求項８】
前記エレベーターの運転の継続が不可能になった場合に、自律移動体に対してエレベーターのかごの内部で停止するように要求する安全補助部、
を備えた請求項１から請求項６のいずれか一項に記載のエレベーター連動装置。
【請求項９】
エレベーターのかごの現在階が自律移動体の呼び出し階であり、前記かごの進行方向が設定されていない場合に、前記自律移動体に対して乗車を促す乗車可否判定部、
を備えた請求項１から請求項８のいずれか一項にエレベーター連動装置。
【請求項１０】
エレベーターのかごへの乗車を要求してから予め設定された時間までに自律移動体からの乗車完了の情報が受信されない場合または前記かごからの降車を要求してから予め設定された時間までに自律移動体からの降車完了の情報が受信されない場合に、エレベーターの運転を通常運転に復帰させる状態回復部、
を備えた請求項１から請求項９のいずれか一項にエレベーター連動装置。
【請求項１１】
前記状態回復部は、前記かごからの降車を要求してから予め設定された時間までに自律移動体からの降車完了の情報が受信されない場合に、自律移動体に対してエレベーターのかごの内部で停止するように要求する請求項１０に記載のエレベーター連動装置。
【請求項１２】
前記状態回復部は、予め設定された相手先に対して自律移動体の救出を要請する情報を送信する請求項１０または請求項１１に記載のエレベーター連動装置。
【手続補正２】
【補正対象書類名】明細書
【補正対象項目名】０００６
【補正方法】変更
【補正の内容】
【０００６】
この発明に係るエレベーター連動装置は、自律移動体の位置情報を記憶する位置情報記憶部と、前記自律移動体が予め設定された位置に到達した際に、エレベーターのかごを呼び出す呼び出し部と、を備え、前記呼び出し部は、前記自律移動体の位置情報と目的階情報と基づいて、その時点において前記自律移動体の現在地から目的地までに成立する移動ルートに含むことができるエレベーターを呼び出すエレベーターの候補とする。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
自律移動体の位置情報を記憶する位置情報記憶部と、
前記自律移動体が予め設定された位置に到達した際に、エレベーターのかごを呼び出す呼び出し部と、
を備え、
前記呼び出し部は、前記自律移動体の位置情報と目的階情報と基づいて、その時点において前記自律移動体の現在地から目的地までに成立する移動ルートに含むことができるエレベーターを呼び出すエレベーターの候補とし、複数の候補が存在する場合は、複数の条件を総合的に考慮した総合評価値に基づいて前記複数の候補の中から呼び出すエレベーターを決定するエレベーター連動装置。
【請求項２】
自律移動体がエレベーターのかごへの乗車行動を開始する地点への到着予測時刻を演算する予測部と、
前記自律移動体の存在する階へのエレベーターのかごの到着予測時刻を演算するエレベーター情報演算部と、
を備え、
前記呼び出し部は、前記予測部により予測された自律移動体の到着時刻と前記エレベーター情報演算部により演算されたかごの到着時刻とに基づいて、エレベーターの呼び出すタイミングを決定する請求項１に記載のエレベーター連動装置。
【請求項３】
前記呼び出し部は、エレベーターのかごで移動させる自律移動体の順番を決定し、順番通りに前記かごが利用されるように前記かごを順次呼び出す請求項１または請求項２に記載のエレベーター連動装置。
【請求項４】
前記呼び出し部は、自律移動体に対するエレベーターの運転が短時間となるように、前記かごを呼び出す順番を決定する請求項３に記載のエレベーター連動装置。
【請求項５】
前記呼び出し部は、前記かごの進行方向への移動を希望する自律移動体を、前記かごの進行方向の逆方向への移動を希望する自律移動体よりも先に前記かごを利用させるように前記かごを呼び出す順番を決定する請求項３に記載のエレベーター連動装置。
【請求項６】
前記呼び出し部は、複数の自律移動体が同一方向に移動を希望する場合、前記かごが方向反転するまでの間に移動可能な自律移動体の数がより多くなるように前記かごを呼び出す順番を決定する請求項５に記載のエレベーター連動装置。
【請求項７】
前記エレベーターの運転の継続が不可能になった場合に、自律移動体に対して、当該自律移動体の目的階ではない階に降車を促し、降車する階の情報を自律移動体に送信する安全補助部、
を備えた請求項１から請求項６のいずれか一項に記載のエレベーター連動装置。
【請求項８】
前記エレベーターの運転の継続が不可能になった場合に、自律移動体に対してエレベーターのかごの内部で停止するように要求する安全補助部、
を備えた請求項１から請求項６のいずれか一項に記載のエレベーター連動装置。
【請求項９】
エレベーターのかごの現在階が自律移動体の呼び出し階であり、前記かごの進行方向が設定されていない場合に、前記自律移動体に対して乗車を促す乗車可否判定部、
を備えた請求項１から請求項８のいずれか一項にエレベーター連動装置。
【請求項１０】
エレベーターのかごへの乗車を要求してから予め設定された時間までに自律移動体からの乗車完了の情報が受信されない場合または前記かごからの降車を要求してから予め設定された時間までに自律移動体からの降車完了の情報が受信されない場合に、エレベーターの運転を通常運転に復帰させる状態回復部、
を備えた請求項１から請求項９のいずれか一項にエレベーター連動装置。
【請求項１１】
前記状態回復部は、前記かごからの降車を要求してから予め設定された時間までに自律移動体からの降車完了の情報が受信されない場合に、自律移動体に対してエレベーターのかごの内部で停止するように要求する請求項１０に記載のエレベーター連動装置。
【請求項１２】
前記状態回復部は、予め設定された相手先に対して自律移動体の救出を要請する情報を送信する請求項１０または請求項１１に記載のエレベーター連動装置。
【手続補正２】
【補正対象書類名】明細書
【補正対象項目名】０００６
【補正方法】変更
【補正の内容】
【０００６】
この発明に係るエレベーター連動装置は、自律移動体の位置情報を記憶する位置情報記憶部と、前記自律移動体が予め設定された位置に到達した際に、エレベーターのかごを呼び出す呼び出し部と、を備え、前記呼び出し部は、前記自律移動体の位置情報と目的階情報と基づいて、その時点において前記自律移動体の現在地から目的地までに成立する移動ルートに含むことができるエレベーターを呼び出すエレベーターの候補とし、複数の候補が存在する場合は、複数の条件を総合的に考慮した総合評価値に基づいて前記複数の候補の中から呼び出すエレベーターを決定する。
【国際調査報告】
2020250409.tif 000013
2020250409.tif 000014
2020250409.tif 000015
2020250409.tif 000016